(57)【要約】【課題】  限られたスペースしか取れない場合であっても、型抜きを考慮しつつできる限り広い小物入れを設定することを可能とするセンターコンソール部の小物入れ構造を提供する。【解決手段】  自動車の運転席と助手席との間に配設されるセンターコンソール部の小物入れであって、前記小物入れは、コンソール本体２および小物入れ容器６の少なくとも２部材からなり、コンソール本体２は、コンソール外壁４と小物入れ容器６の嵌め込み部分３を形成するコンソール内壁５とが一体に形成されており、小物入れ容器６の嵌め込み部分３において、コンソール本体２の幅方向側に、コンソール内壁５を有していない部分が設けられていることを特徴とする。【選択図】  図１
2020104536.tif 000002
【特許請求の範囲】
【請求項１】
自動車の運転席と助手席との間に配設されるセンターコンソール部の小物入れであって、
前記小物入れは、コンソール本体および小物入れ容器の少なくとも２部材からなり、
前記コンソール本体は、コンソール外壁と前記小物入れ容器の嵌め込み部分を形成するコンソール内壁とが一体に形成されており、
前記小物入れ容器の嵌め込み部分において、前記コンソール本体の幅方向側に、前記コンソール内壁を有していない部分が設けられていることを特徴とする、センターコンソール部の小物入れ構造。
【発明の詳細な説明】
【技術分野】
【０００１】
本発明は、センターコンソール部の小物入れ構造に関する。
【背景技術】
【０００２】
自動車のセンターコンソールには、カップホルダーや小物入れが設置されることがある。前記カップホルダーおよび前記小物入れ（以下、「カップホルダー等」ということがある。）は、コンソール本体およびトレイの２部材により構成されているものがある（例えば、特許文献１参照）。このようなカップホルダー等は、前記コンソール本体に形成された凹部に前記トレイがはめ込まれて形成されている。運転席と助手席との間のセンターコンソールにカップホルダー等を設けるスペースが十分にある場合には、例えば、カップホルダーを２つ設置することも、カップホルダーおよび小物入れの両方を設置することも可能である。
【先行技術文献】
【特許文献】
【０００３】
【特許文献１】特開２００２−３１６７５２号公報
【発明の概要】
【発明が解決しようとする課題】
【０００４】
しかし、車幅の制限される車両等においては、前記センターコンソールを配置するスペースが十分に取れない場合がある。このような場合、樹脂製のコンソール本体に、カップホルダーを設ける際に、カップホルダー部分の幅が前記コンソール本体の幅と近くなり、コンソール本体の外壁とカップホルダー部分を形成する内壁との間に、成型時の型抜きに必要なスペースを取ることが困難となる。センターコンソール部等の樹脂成型品は、型抜きを考慮して設計をする必要があるため、型抜きのための十分なスペースを確保しようとすると、カップホルダー部分において所望の幅を取ることが困難であった。
【０００５】
そこで、本発明は、限られたスペースしか取れない場合であっても、型抜きを考慮しつつできる限り広い小物入れを設定することを可能とするセンターコンソール部の小物入れ構造を提供することを目的とする。
【課題を解決するための手段】
【０００６】
上記目的を達成するために、本発明のセンターコンソール部の小物入れ構造は、自動車の運転席と助手席との間に配設されるセンターコンソール部の小物入れであって、前記小物入れは、コンソール本体および小物入れ容器の少なくとも２部材からなり、前記コンソール本体は、コンソール外壁と前記小物入れ容器の嵌め込み部分を形成するコンソール内壁とが一体に形成されており、前記小物入れ容器の嵌め込み部分において、前記コンソール本体の幅方向側に、前記コンソール内壁を有していない部分が設けられていることを特徴とする。
【発明の効果】
【０００７】
本発明によれば、限られたスペースしか取れない場合であっても、型抜きを考慮しつつできる限り広い小物入れを設定することを可能とするセンターコンソール部の小物入れ構造を提供することができる。
【図面の簡単な説明】
【０００８】
【図１】図１は、本発明のセンターコンソール部の小物入れ構造における、センターコンソールの分解斜視図である。
【図２】図２は、センターコンソールの小物入れ部分（カップホルダー部分）の上面図である。
【図３】図３は、コンソール本体に小物入れ容器（カップホルダー）を配置した状態を示す図であり、図２におけるＡ−Ａ線方向の断面図である。
【図４】図４は、コンソール本体に小物入れ容器（カップホルダー）を配置した状態を示す図であり、図２におけるＢ−Ｂ線方向の断面図である。
【発明を実施するための形態】
【０００９】
以下、この発明の実施の形態を、図面を参照しながら説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１０】
図１は、本発明のセンターコンソール部の小物入れ構造における、センターコンソールの分解斜視図である。センターコンソール１は、自動車の中央部の前後方向に沿って、運転席と助手席との間に配設されている。センターコンソール１は、本実施形態では樹脂製であり、各々一体成型で形成されたコンソール本体２と小物入れ容器（カップホルダー）６の少なくとも２部材からなる。
【００１１】
通常、センターコンソール１は、フロントシートの間に配置される部品であるが、車幅の制限がある軽トラックのような車両では、センターコンソール１も幅方向において大きさに制限が生じる。しかし、センターコンソール１にカップホルダーを設ける場合には、カップホルダーはコップや缶飲料を入れて保持する容器であるため、一般的な大きさのコップや缶等が収容できる大きさ（幅）を有していることが必要である。
【００１２】
そこで、本発明においては、コンソール本体２は、コンソール外壁４と小物入れ容器６の嵌め込み部分３を形成するコンソール内壁５とが一体に形成されているが、小物入れ容器６の嵌め込み部分３において、コンソール本体２の幅方向側に、コンソール内壁５を有していない部分を設けている。コンソール内壁５を有さずにコンソール外壁４のみとなる部分は、コンソール内壁５を設けようとすると、コア型が細くなり、型強度が不足するため型構造を成立させるのが困難である部分である。
【００１３】
図２は、センターコンソール１の小物入れ部分（カップホルダー部分）の上面図であり、小物入れ容器の嵌め込み部分３付近を示すものである。図２では、小物入れ容器（カップホルダー）６を装着していない状態でのコンソール本体２の上面図を示している。図３および図４は、コンソール本体２に小物入れ容器（カップホルダー）６を配置した状態を示す図であり、図３は図２において、コンソール本体２に小物入れ容器（カップホルダー）６を配置したときのＡ−Ａ線方向の断面図であり、図４は図２において、コンソール本体２に小物入れ容器（カップホルダー）６を配置したときのＢ−Ｂ線方向の断面図である。コンソール内壁５を有さずにコンソール外壁４のみとなるコンソール本体２の幅方向の部分には、すり合わせ構造にて成型された穴７が、小物入れ容器の嵌め込み部分３の底面となる部分に設けられている。小物入れ容器の嵌め込み部分３のコンソール本体２の幅方向の部分を前記の構造とすることによって、コア型の強度が確保できるようなスペースが取れる型構造を成立させることができる。
【００１４】
コンソール本体２の長さ方向（前後方向）においては、前記の穴７は設けず、コンソール内壁５があるため、コンソール本体２の剛性が確保されている。コンソール本体２の幅方向では、形成された小物入れ容器６の嵌め込み部分３に、別途作製された小物入れ容器（カップホルダー）６が嵌め込まれて、小物入れ容器（カップホルダー）６が内壁を形成する形となり、この方向での剛性も確保される。したがって、本実施形態の小物入れ構造は、コンソール本体２に内壁がない小物入れ構造と比べて、剛性の確保が可能である。
【００１５】
小物入れ容器（カップホルダー）６は、コンソール本体２の小物入れ容器の嵌め込み部分３に嵌め込まれる。本実施形態においては、小物入れ容器（カップホルダー）６にボルト（係合部材）８の頭部分が通過可能な孔を設けておき、コンソール本体２に小物入れ容器（カップホルダー）６を先に嵌め込んでから、ブラケット１０を介してコンソール本体２と自動車のボデーとを、係合部材８で組み付けているが、これに限定されるものではない。また、小物入れ容器の嵌め込み部分３および小物入れ容器（カップホルダー）６に、ボルト取付けが可能となるボルト孔を設け、係合部材８であるボルトおよびナットで係合してもよいし、例えば、係止孔と係止爪とを各部材に設けるなど、他の係合部を設けてもよい。小物入れ容器（カップホルダー）６の内側底面には、中敷き（マット）９を設けてもよい。
【００１６】
また、本実施形態においては、コンソール本体２の幅方向（左右方向）２ヶ所でコンソール内壁５をなくした、小物入れ容器の嵌め込み部分３および小物入れ容器６の形状が丸形状であるカップホルダーについて説明したが、本発明はこれに限定されるものではない。例えば、小物入れ容器の嵌め込み部分３および小物入れ容器６の形状が四角形状であり、コンソール本体２の幅方向（左右方向）２ヶ所でコンソール内壁５をなくした四角形の小物入れであってもよく、様々な形状にも適用できる。
【００１７】
このように、本発明のセンターコンソール部の小物入れ構造によると、コンソール本体２にコンソール内壁５を有していない部分を設け、当該部分においては、コンソール内壁５に代えて小物入れ容器（カップホルダー）６が内壁に相当する部分を形成することで、剛性（強度）を維持しつつコンソール本体２の幅の中で最大限に小物入れ容器の幅を取ることが可能となる。これにより、従来は、運転席と助手席との間にカップホルダー形成に必要な幅のコンソールが（幅が広すぎて）配設できず、カップホルダーはフロントパネル部に設けていた車種においても、乗員の横の位置にカップホルダーが配置可能となる。本発明のセンターコンソール部の小物入れ構造は、小スペースで最大限容量の小物入れを設定可能であるとともに、カップや缶飲料を取りやすい位置に置くことができるので、乗員の使い勝手も向上させることが可能である。
【符号の説明】
【００１８】
１  …センターコンソール
２  …コンソール本体
３  …小物入れ容器の嵌め込み部分
４  …コンソール外壁
５  …コンソール内壁
６  …小物入れ容器（カップホルダー）
７  …穴
８  …係合部材（ボルト・ナット）
９  …中敷き（マット）
１０  …ブラケット
【図１】
2020104536.tif 000003
【図２】
2020104536.tif 000004
【図３】
2020104536.tif 000005
【図４】
2020104536.tif 000006